(57)【特許請求の範囲】
【請求項１】
左右の端部材の間に平板が設けられたパネル体を配設して構築された家屋であって、前記パネル体として、少なくとも２つは左右いずれかの端部材の外面にその外縁が波形の波形凹凸面が形成されたパネル体が採用され、これらのパネル体の端部材同志は前記波形凹凸面により凹凸嵌合状態で当接せしめて隣接されることで柱となっており、前記波形凹凸面同志の間には気密部材が配設されていることを特徴とする家屋。
【請求項２】
請求項１記載の家屋において、前記端部材の寸法は、隣接する該端部材と当接せしめた際、構築される家屋の柱となる寸法に設定されていることを特徴とする家屋。
【請求項３】
請求項１，２いずれか１項に記載の家屋において、前記端部材の波形凹凸面は正面若しくは裏面と側面とに設けられ、一の前記パネル体の端部材と、該一のパネル体の側面に隣接する二の前記パネル体の端部材と、該一のパネル体及び該二のパネル体の正面若しくは裏面に隣接する三の前記パネル体の端部材とを当接せしめることで構築される家屋の柱が形成されていることを特徴とする家屋。
【請求項４】
請求項１，２いずれか１項に記載の家屋において、前記端部材の波形凹凸面は正面，裏面及び側面に設けられ、一の前記パネル体の端部材と、該一のパネル体の側面に隣接する二の前記パネル体の端部材と、該一のパネル体及び該二のパネル体の正面及び裏面に夫々隣接する三の前記パネル体の端部材及び四の前記パネル体の端部材とを当接せしめることで構築される家屋の柱が形成されていることを特徴とする家屋。
【請求項５】
請求項１〜４いずれか１項に記載の家屋において、この家屋の壁は複数のパネル体を隣接せしめることで形成され、この家屋の柱の一部を構成する前記端部材は、該端部材同志の当接によって形成される該柱として必要とされる所定強度を発揮する寸法に設定され、この家屋の壁の一部を構成するその他の端部材は、隣接するパネル体によって形成される該壁として必要とされる所定強度を発揮する寸法に設定されていることを特徴とする家屋。
【請求項６】
複数のパネル体が隣接する構造の家屋であって、前記パネル体は、左右の端部材の間に平板が設けられ、この端部材の外面にはその外縁が波形の波形凹凸面が設けられ、この家屋の壁は複数の前記パネル体が並設され前記端部材の外面同志が前記波形凹凸面同志で凹凸嵌合する状態で当接せしめられた構成であり、この家屋の柱は、隣接する前記パネル体の前記端部材同志が前記凹凸嵌合する状態で当接せしめられた構成であり、前記波形凹凸面同志の間には気密部材が配設されていることを特徴とする家屋。
【請求項７】
請求項６記載の家屋において、前記端部材の波形凹凸面は、該端部材の側面と正面若しくは裏面にも設けられ、この家屋の柱は隣接する前記パネル体の端部材と、該端部材の正面若しくは裏面に隣接する前記パネル体の端部材とが凹凸嵌合する状態で夫々当接せしめられた構成の柱であることを特徴とする家屋。
【請求項８】
請求項６記載の家屋において、前記端部材の波形凹凸面は、該端部材の正面，裏面及び側面に設けられ、この家屋の柱は隣接する前記パネル体の端部材と、該端部材の正面及び裏面に隣接する前記パネル体の端部材とが凹凸嵌合する状態で夫々当接せしめられた構成の柱であることを特徴とする家屋。
【発明の詳細な説明】
【０００１】
【発明の属する技術分野】
本発明は、パネル体を用いた家屋に関するものである。
【０００２】
【従来の技術及び発明が解決しようとする課題】
左右の端部材の間に平板が張設せしめられたパネル体を並設して構築される家屋において、本願発明者の先願に係る特願２００１−３０１０６１のように家屋を構成する部材同志の当接構造、具体的には隣接する端部材同志の当接構造，端部材と柱との当接構造として、部材同志が凹凸面によって凹凸嵌合する構造とした家屋は、各部材の設置作業が容易であると共に、部材同志の当接部位の気密性が高く且つ高強度となることが実証されている。
【０００３】
本発明は、上記技術を応用したもので、部材同志の当接部位が高強度となる上記の当接構造によれば、従来の家屋の柱等の骨材を省略し、該パネル体の端部材同志を凹凸嵌合状態で複数当接した柱部を家屋の柱等の骨材とすることで、高強度の家屋を極めてコスト安に構築できるという発明思想に基づいて成された発明である。
【０００４】
【課題を解決するための手段】
添付図面を参照して本発明の要旨を説明する。
【０００５】
左右の端部材１の間に平板３が設けられたパネル体11を配設して構築された家屋であって、前記パネル体11として、少なくとも２つは左右いずれかの端部材１の外面にその外縁が波形の波形凹凸面が形成されたパネル体11が採用され、これらのパネル体11の端部材１同志は前記波形凹凸面により凹凸嵌合状態で当接せしめて隣接されることで柱となっており、前記波形凹凸面同志の間には気密部材６が配設されていることを特徴とする家屋に係るものである。
【０００６】
また、請求項１記載の家屋において、前記端部材１の寸法は、隣接する該端部材１と当接せしめた際、構築される家屋の柱となる寸法に設定されていることを特徴とする家屋に係るものである。
【０００７】
また、請求項１，２いずれか１項に記載の家屋において、前記端部材１の波形凹凸面は正面１ｃ若しくは裏面１ｄと側面１ｂとに設けられ、一の前記パネル体11の端部材１と、該一のパネル体11の側面１ｂに隣接する二の前記パネル体11の端部材１と、該一のパネル体11及び該二のパネル体11の正面１ｃ若しくは裏面１ｄに隣接する三の前記パネル体11の端部材１とを当接せしめることで構築される家屋の柱が形成されていることを特徴とする家屋に係るものである。
【０００８】
また、請求項１，２いずれか１項に記載の家屋において、前記端部材１の波形凹凸面は正面１ｃ，裏面１ｄ及び側面１ｂに設けられ、一の前記パネル体11の端部材１と、該一のパネル体11の側面１ｂに隣接する二の前記パネル体11の端部材１と、該一のパネル体11及び該二のパネル体11の正面１ｃ及び裏面１ｄに夫々隣接する三の前記パネル体11の端部材１及び四の前記パネル体11の端部材１とを当接せしめることで構築される家屋の柱が形成されていることを特徴とする家屋に係るものである。
【０００９】
また、請求項１〜４いずれか１項に記載の家屋において、この家屋の壁は複数のパネル体11を隣接せしめることで形成され、この家屋の柱の一部を構成する前記端部材１は、該端部材１同志の当接によって形成される該柱として必要とされる所定強度を発揮する寸法に設定され、この家屋の壁の一部を構成するその他の端部材１は、隣接するパネル体11によって形成される該壁として必要とされる所定強度を発揮する寸法に設定されていることを特徴とする家屋に係るものである。
【００１０】
また、複数のパネル体11が隣接する構造の家屋であって、前記パネル体11は、左右の端部材１の間に平板３が設けられ、この端部材１の外面にはその外縁が波形の波形凹凸面が設けられ、この家屋の壁は複数の前記パネル体11が並設され前記端部材１の外面同志が前記波形凹凸面同志で凹凸嵌合する状態で当接せしめられた構成であり、この家屋の柱は、隣接する前記パネル体11の前記端部材１同志が前記凹凸嵌合する状態で当接せしめられた構成であり、前記波形凹凸面同志の間には気密部材６が配設されていることを特徴とする家屋に係るものである。
【００１１】
また、請求項６記載の家屋において、前記端部材１の波形凹凸面は、該端部材１の側面１ｂと正面１ｃ若しくは裏面１ｄにも設けられ、この家屋の柱は隣接する前記パネル体11の端部材１と、該端部材１の正面１ｃ若しくは裏面１ｄに隣接する前記パネル体11の端部材１とが凹凸嵌合する状態で夫々当接せしめられた構成の柱であることを特徴とする家屋に係るものである。
【００１２】
また、請求項６記載の家屋において、前記端部材１の波形凹凸面は、該端部材１の正面１ｃ，裏面１ｄ及び側面１ｂに設けられ、この家屋の柱は隣接する前記パネル体11の端部材１と、該端部材１の正面１ｃ及び裏面１ｄに隣接する前記パネル体11の端部材１とが凹凸嵌合する状態で夫々当接せしめられた構成の柱であることを特徴とする家屋に係るものである。
【００１３】
【発明の作用及び効果】
隣接するパネル体11の端部材１同志は、一方の端部材１の凸部が他方の端部材１の凹部と嵌合する凹凸嵌合状態で当接するから、この凹凸嵌合により、夫々のパネル体11の位置決め作用やズレ防止作用，隙間風の侵入防止作用が発揮されることになり、よって、部材の配設作業を良好に行え、強度が高く、且つ、気密性の高い家屋となる。
【００１４】
しかも、パネル体11の端部材１同志を凹凸嵌合状態で複数当接せしめることで家屋の柱を構築しているから、従来必要だったパネル体11とは別体の柱が必要なく、該パネル体11だけでも柱等の骨材に囲まれた空間部にパネル体を嵌合した家屋と同等の強度を有する家屋を得ることができ、家屋の構築作業がより一層容易となる。
【００１５】
特に、この端部材１同志の当接によって形成された柱は、端部材１同志が凹凸嵌合によって位置ズレしたりしないから、構造上普通の柱と同程度の強度を発揮する。
【００１６】
その上、この端部材１によって形成された柱は、太い柱を必要とする場合でも、安価な若木を切り分けた木材を複数当接することにより構成することができるから、従来のように高価な老木を一本丸々柱として用いる場合に比べ、極めてコスト安の家屋が得られる。
【００１７】
従って、本発明は、従来の家屋の柱を省略し、端部材同志を凹凸嵌合状態で複数当接した柱部を家屋の柱とすることで、極めて容易に構築できコスト安にして高強度の実用性に秀れた家屋となる。
【００１８】
【発明の実施の形態】
図面は本発明の一実施例を図示したものであり、以下に説明する。
【００１９】
本実施例は、左右の端部材１（枠部材）の間に平板３が張設されたパネル体11を配設して構築される家屋であって、前記パネル体11として、左右の端部材１の外面に凹凸面が形成されたパネル体11が採用され、これらのパネル体11の端部材１同志は前記凹凸面により凹凸嵌合状態で当接せしめて隣接されることで柱部12を形成し、この柱部12を家屋の柱としたものである。
【００２０】
本実施例のパネル体11は、対向する端部材１の内面１ａにして該端部材１の表面から所定の距離だけ奥まった位置には凹溝２が延設され、この端部材１間には平板３が設けられ、該平板３の両端部が夫々前記凹溝２に嵌入された家屋構築用のものであり、前記凹凸面は、このパネル体の端部材１の主に側面１ｂに設けられている。
【００２１】
このパネル体11の端部材１の内、柱部12を構成する端部材１は、端部材１同志の当接によって形成される柱部12が家屋の柱として必要とされる所定強度を発揮する寸法に設定され、その他の端部材１は、隣接するパネル体11によって形成される壁部10の強度が家屋の壁の強度として必要とされる所定強度を発揮する寸法に設定されている。これにより、柱部12は通常の柱と同等の強度を発揮し、パネル体11によって形成される壁部10は、端部材１の存在の分、筋交い等を用いた壁と同等若しくはそれ以上の強度を発揮できる。
【００２２】
また、この柱部12は単に端部材１同志を一つずつ当接して構成するだけでなく、場所によっては、図４に図示したようにパネル体11の凹凸面を端部材１の正面１ｃ，裏面１ｄ及び側面１ｂに設け、隣接するパネル体11の端部材１と、該端部材１の正面１ｃ及び裏面１ｄに隣接するパネル体11の端部材１とを凹凸嵌合する状態で計四つ当接する構成としても良い。この場合には、四つの部材から柱部12を構成することになり、その分寸法の大きな柱を容易に形成することができる。
【００２３】
同様に、パネル体11の凹凸面を端部材１の側面１ｂと正面１ｃ若しくは裏面１ｄにも設け、隣接するパネル体11の端部材１と、該端部材１の正面１ｃ若しくは裏面１ｄに隣接するパネル体11の端部材１とを凹凸嵌合する状態で計三つ当接する構成としても良い。
【００２４】
また、凹凸面は、その外縁が波形の波形面が採用されている。この波形面は、後述の気密部材６を介在せしめる際に、該気密部材６を破断せしめたりするおそれがなく、好適である。尚、この波形面は、家屋形成の際に使用されるプレカット装置によって簡単に形成することができる。
【００２５】
また凹凸面の凹部及び凸部は端部材１の長さ方向に延設されている。従って、隣接する２枚のパネル体11を配設する場合には、該パネル体11を上方から下方へ降下移動せしめることで該配設作業を凹凸面の凹凸によって阻害されずに行うことができる。
【００２６】
このように凹部及び凸部が所定方向に延設されるものである場合、凹凸面の凹凸嵌合によってパネル体11の位置決めを容易に行うことができる。
【００２７】
また、本実施例では、上記のようなパネル体11やそれ以外の家屋用の部材に凹凸面を形成した場合のいずれでも、凹凸面の凸部及び凹部の延設方向は、壁部10の面方向（上下方向）としている。これは、前記位置決め作用に加え、隙間風が直進状態で家屋内に侵入することを阻止するためである。
【００２８】
また、壁部10を形成するパネル体11の端部材１同志が当接する凹凸面には気密部材６が配設されている。
【００２９】
この気密部材６は、例えば弾性を有する合成樹脂テープが採用され、端部材１の外面に該端部材１の長さ方向に延設する状態で貼着されている。
【００３０】
この気密部材６は、一方のパネル体11の凹凸面と他方のパネル体11の凹凸面に挾持され、凹凸形状に沿って弾性変形せしめられる。この際、凹凸面が波形面であるから、気密部材６が鋭角に弾性変形されたりすることはなく、よって、この気密部材６が気密作用を発揮できないような形状に変形されたり、切断されたりすることは防止され、良好な気密作用が発揮されることになる。
【００３１】
尚、本実施例においては、柱部12を構成する端部材１同志の当接面には、前記気密部材６は配設しない構成としている。
【００３２】
また、左右の端部材１の側面１ｂの凹凸面を、パネル体11の左右中央部を支点とする点対称の形状に設定すると、同形状のパネル体11を隣接させる場合、右側のパネル体11の左側端面（左側の端部材１の側面１ｂ）の凹凸面と、左側のパネル体11の右側端面（右側の端部材１の側面１ｂ）の凹凸面とを凹凸嵌合状態とした際、右側のパネル体11と左側のパネル体11とを面一状態とすることができ、好適となる。
【００３３】
また、本実施例のパネル体11は、端部材１の内面１ａには膨出部４が設けられ、この膨出部４に凹溝２が設けられているものである。
【００３４】
更に詳述すると、端部材１は左右対向状態で配設され、また、膨出部４及び凹溝２は上下方向に延設されている。
【００３５】
図面は、凹溝２が膨出部４の頂部に設けられている場合を図示している。
【００３６】
左右の端部材１は、一対の断面視五角形状に近似した木製の角材が採用されている。
【００３７】
また、この断面視五角形の端部材１は、断面視において隣接する二つの外側角部５ａ・５ｂが直角的で（図面は凹凸を誇張して描いているため、直角には見えないが、おおよその輪郭は直角である。）、また、内側の残りの三つの角部５ｃ・５ｄ・５ｅが鈍角に設定された端部材１が採用されている。また、内側の残りの三つの角部５ｃ・５ｄ・５ｅが鈍角な五角形状に近似した形状の端部材１が採用され、この端部材１にして前記内側の三つの角部５ｃ・５ｄ・５ｅの内の中央の角部５ｄ近傍が膨出部４に設定され、この角部５ｄに凹溝２が設けられている。
【００３８】
また、この凹溝２が設けられた角部５ｄ以外の二つの鈍角の角部５ｃ・５ｅの角度は、凹溝２の底部が、該二つの鈍角の角部５ｃ・５ｅを結ぶ線と同等か、若しくは、該結ぶ線より内側となるように設定すると良い。具体的には、この二つの鈍角の角部５ｃ・５ｅの角度は約１００乃至１３５°に設定すると良い。
【００３９】
尚、前記鈍角の角部５ｃ・５ｅの角度が同じ端部材１でも、該端部材１の表裏方向の長さが異なれば、膨出部４の膨出量も異なることになり（端部材１の表裏方向の長さが長い方が膨出部４の膨出量が大きくなる。）、凹溝２の底部と前記結ぶ線との位置関係は異なることになる。
【００４０】
また、この膨出部４は、例えば湾曲膨出する形状であっても良い。
【００４１】
図示したパネル体11は、この凹溝２が端部材１の巾方向中央位置（表面（正面）及び裏面から同一距離を置いた位置）に設けられた強度の高い構成を採用しているが、例えば、平板３の表面側に厚い断熱材を付設する場合には該凹溝２の位置を角材の巾方向中央位置よりも裏面側に設定する等、この凹溝２の位置は家屋の設置条件に合わせて表面及び裏面から任意の距離を置いた位置に適宜設定しても良い。
【００４２】
また、凹溝２が端部材１の巾方向中央位置に設けられ、且つ、前記膨出部４に設定された角部５ｄ以外の二つの鈍角の角部５ｃ・５ｅの角度が同じに設定されている場合、端部材１の形状は表裏方向において対称となり、非常に強度の高い構成となる。
【００４３】
平板３は木製の合板部材が採用されている。
【００４４】
また、平板３の上下長は、端部材１の上下長さと同等に設定されている。
【００４５】
また、例えば、平板３の上下長を端部材１の上下長よりも若干長く設定し、該平板３の上端及び下端を夫々端部材１の上端及び下端から突出するように構成すると、この突出する平板３を、土台や梁等のパネル体11の上下に位置する骨材に設けられた凹溝に嵌入することができ、該パネル体11と骨材との接合強度を高めることができる。
【００４６】
また、平板３の左右端部は前記端部材１の凹溝２に嵌入され、パネル体11全体が平断面視Ｈ型に構成されている。
【００４７】
この端部材１と平板３との固定には接着剤による固定方向が採用されている。
【００４８】
この点、例えば、端部材１と平板３とを釘等の連結金具により固定する方法も考えられるが、この場合、パネル体11の強度（主に左右方向の強度）が大きく低下することが実験（破壊試験）により確認されている。この原因は、連結金具による固定手段であると、隣接する連結金具同志の間は全く固定されないことになり、結果的に固定強度にムラが発生するからではないかと考えられる。
【００４９】
また、パネル体11の上下長（高さ）は、家屋の一階分の高さ（約３ｍ）に近似する高さに設定されている。また、左右巾は、４５，６０，９０ｃｍ等に設定されている。
【００５０】
尚、このパネル体11の表面側には外壁材が、また、裏面側には内壁材が夫々付設される。
【００５１】
本実施例は上述のように構成したから、家屋用の部材同志の当接部位が凹凸面同志の当接となっているため、この凹凸面同志の当接により、部材，例えば、パネル体11の位置ズレを防止することができ、高強度の家屋を構築することができる。
【００５２】
特に、この端部材１同志の当接によって形成された柱部12は、端部材１同志が凹凸嵌合によって位置ズレしたりしないから、構造上、普通の柱と同程度の強度を発揮することになり、しかも、この柱部12を構成する端部材１の寸法は家屋の柱として必要とされる所定強度を発揮する寸法に設定されているから、普通の柱以上の強度に設定することもできる。
【００５３】
その上、柱部12は、例えば大黒柱のような太い柱を必要とする場合でも、安価な若木を切り分けた木材を複数当接して構成することができるから、家屋の柱として従来のように高価な老木を一本丸々柱として用いていた場合より極めてコスト安となる。
【００５４】
また、パネル体11の位置決めを容易に行うこともでき、実用性，作業性に秀れることになる。
【００５５】
また、この凹凸面同志の当接により、パネル体11同志の気密性が高く、しかも、単なる凹凸嵌合だけであるから、この気密性を高めるための作業も容易に行える。
【００５６】
また、凹凸面同志の隙間に配設された気密部材６が凹凸面の凹凸形状に沿って変形され、該当接部位から剥離したり、切断されたりせず、よって、この点においても高い気密性が発揮されることになる。
【００５７】
また、使用されるパネル体11は、膨出部４が存在する部位において端部材１は左右方向に肉厚となり、この肉厚の部位に凹溝２が設けられているから、該凹溝２の存在による端部材１の強度低下が可及的に防止され、よって、非常に高い強度を発揮する家屋構築用のパネル体11となる。
【００５８】
また、端部材１として断面視が五角形状のものを採用したから、断面視が四角形のものと異なり、端部材１に作用する表裏方向の荷重若しくは左右方向の荷重が斜め方向に分散され、よって、この点においても非常に高い強度を発揮する家屋構築用のパネル体となる。
【００５９】
また、この断面視が五角形の端部材１として、断面視において隣接する二つの外側角部５ａ・５ｂが直角で、また、内側の残りの三つの角部５ｃ・５ｄ・５ｅが鈍角のものが採用され、この端部材１にして三つの鈍角の角部５ｃ・５ｄ・５ｅの内の中央の角部５ｄ近傍が膨出部４に設定されているから、該端部材１の表面，裏面及び側面１ｂ（左側の端部材１の左面及び右側の端部材１の右面）が夫々従来例の端部材と同様の形状となり、よって、該端部材１を隣接するパネル体11の端部材１と良好に当接して接合したり、また、該端部材１の表面や裏面に外壁材や内壁材を良好に付設したりすることができる。
【００６０】
また、凹溝２の底部が、前記膨出部４以外の鈍角の角部５ｃ・５ｅを結ぶ線より内側、即ち、端部材１の内縁角部より内側に位置している場合には、この凹溝２部位でも端部材１は十分な肉厚を有することになり、更に高い強度が発揮されることになる。
【００６１】
また、端部材１と平板３の固定は接着剤による固定が採用されているから、固定強度が部分的に偏ったりせず、パネル体11全体として高い強度が発揮されることになる。
【００６２】
従って、本実施例は、従来の家屋の柱を省略し、端部材同志を凹凸嵌合状態で複数当接した柱部を家屋の柱とすることで、極めて容易に構築できコスト安にして高強度の実用性に秀れた家屋となる。
【００６３】
尚、パネル体11は、端部材１が平板３を囲繞する状態で配設されている構成を採用しても良い。
【００６４】
また、本実施例においては、柱を端部材１同志を当接した柱部12に置き換える場合について詳述したが、柱だけでなく梁等の他の家屋の骨材を上述のように端部材１同志を当接することで置き換えた構成としても良い。また、大黒柱等の高い強度が必要とされる部位は普通の柱を設置する方法でも良い。
【図面の簡単な説明】
【図１】  本実施例の説明斜視図である。
【図２】  本実施例のパネル体11の説明平断面図である。
【図３】  本実施例の凹凸面同志の当接状態を示す説明拡大平断面図である。
【図４】  本実施例の説明平断面図である。
【符号の説明】
１  端部材
１ｂ  側面
１ｃ  正面
１ｄ  裏面
３  平板
６ 気密部材
10  壁部
11  パネル体
12  柱部
【図１】
0003902548.tif 000002
【図２】
0003902548.tif 000003
【図３】
0003902548.tif 000004
【図４】
0003902548.tif 000005